(57)【要約】【課題】塵埃による悪臭を長期間に渡って、しかも効果的に脱臭できる電気掃除機用集塵袋を提供する。【解決手段】吸引風を発する電動送風機と、前記電動送風機前方に設けられ、吸引した塵埃を集める集塵袋４を搭載した集塵室３と、前記集塵袋４の一部に設けられ、脱臭剤を収納した収納ケース１７と、前記集塵袋４に振動を与える振動板５とを備え、前記振動板５が集塵袋４に振動を与えることにより、前記収納ケース１７内の脱臭剤が集塵袋４内に投入される構成の電気掃除機とした。これにより、脱臭剤が集塵袋４の収納ケース１７から集塵袋４内に投入され、集塵袋４内の塵埃から放たれる悪臭を除去できると共に、振動板５からの振動により集塵袋壁面に貼りついてしまったの塵埃を叩き落すことにより吸引力が持続するうえ、振動により脱臭剤と塵埃が効率よく混合できて、脱臭効率が向上する。【選択図】図３
2006314351.tif 000002
【特許請求の範囲】
【請求項１】
吸引風を発する電動送風機と、前記電動送風機前方に設けられ、吸引した塵埃を集める集塵袋を搭載した集塵室と、前記集塵袋の一部に設けられ、脱臭剤を収納した収納ケースと、前記集塵袋に振動を与える振動板とを備え、前記振動板が集塵袋に振動を与えることにより、前記収納ケース内の脱臭剤が集塵袋内に投入される構成とした電気掃除機。
【請求項２】
振動板は、集塵袋の後部に振動を与える請求項１記載の電気掃除機。
【請求項３】
電源を供給するための電源コードを電気掃除機内へ収納自在とするコードリールを備え、前記コードリールの電源コード引出し操作および／または電源コード収納操作に連動して、振動板が集塵袋に振動を与える構成とした請求項１または２記載の電気掃除機。
【請求項４】
振動板の動力を、電動の振動装置とする請求項１〜３のいずれか１項に記載の電気掃除機。
【発明の詳細な説明】
【技術分野】
【０００１】
本発明は、電気掃除機用集塵袋及び電気掃除機に関するもので、特に、電気掃除機用集塵袋内に堆積した塵埃の脱臭に関するものである。
【背景技術】
【０００２】
従来の、電気掃除機用集塵袋内に堆積した塵埃の脱臭方法として、紙パックや集塵フィルターに脱臭剤を含浸させて、その脱臭剤によって塵埃から発する臭いを脱臭するようにしたものがある（例えば、特許文献１参照）。
【０００３】
また、電気掃除機用集塵袋を収納する集塵室内空間に、消臭芳香剤を設置したものも提案されている（例えば、特許文献２参照）。
【特許文献１】特開平５−７０８７１号公報
【特許文献２】特許第２８１００９０号公報
【発明の開示】
【発明が解決しようとする課題】
【０００４】
しかしながら、上記特許文献１に記載された従来の脱臭方法では、脱臭剤が紙パックや集塵フィルターの濾材のみに含浸されているだけなので、その濾材と塵埃との接触面積が少なく、かつ、接触時間も瞬間的であるため、十分な脱臭効果が得られない、という課題があった。そのため、上記従来の紙パックや集塵フィルターを装着した電気掃除機を運転した時に、塵埃の種類や蓄積期間によっては、電気掃除機からの排気風に混じって悪臭が発せられ、不快なものであった。
【０００５】
また、特許文献２に記載された構成は、集塵室内空間に消臭芳香剤を設置することで、集塵室内に消臭成分を飛散させて、電気掃除機用集塵袋内の塵埃の消臭を行い、運転時の排気臭を緩和させるようにしたものであるが、消臭芳香剤は、塵埃の臭気に別に香りを混合させて、排気臭を緩和するため、根本的な臭気の除去には至らず、吸引した塵埃の種類によっては、不快な異臭として電気掃除機から排気されるという課題を有していた。
【０００６】
また、前記従来の構成では、多量の塵埃を吸引して、長期に渡って保持できる集塵袋式掃除機では、吸引気流がほぼ全て塵埃中を通過するため、吸塵量の増加に従い、臭気発生量が増加し、集塵袋の許容量に近い状態では、臭気発生が大幅に増加するため、消臭芳香剤の消臭効果では、ほとんど効果が得られないという課題を有していた。
【０００７】
本発明は、前記従来の課題を解決するもので、電気掃除機用集塵袋内の塵埃量や、貯留期間に関係なく、電気掃除機使用時の排気に含まれる塵埃由来の臭気を大幅に低減し、使用勝手の良い電気掃除機用集塵袋及び電気掃除機を提供することを目的とする。
【課題を解決するための手段】
【０００８】
本発明は前記従来の課題を解決するもので、吸引風を発する電動送風機と、前記電動送風機前方に設けられ、吸引した塵埃を集める集塵袋を搭載した集塵室と、前記集塵袋の一部に設けられ、脱臭剤を収納した収納ケースと、前記集塵袋に振動を与える振動板とを備え、前記振動板が集塵袋に振動を与えることにより、前記収納ケース内の脱臭剤が集塵袋内に投入される構成の電気掃除機とした。
【０００９】
これにより、掃除機の運転による吸引風によって脱臭剤が集塵袋の収納ケースから集塵袋内に投入され、集塵袋内の塵埃から放たれる悪臭を除去できると共に、振動板からの振動により集塵袋壁面に貼りついてしまった塵埃を叩き落せるため吸引力が持続するうえ、脱臭剤と塵埃が効率よく混ざり合うので、更に脱臭効率が向上するというものである。
【発明の効果】
【００１０】
本発明の電気掃除機は、塵埃由来の悪臭が排気に含まれるのを大幅に低減し、かつ振動除塵による塵埃と脱臭剤の混合によって電気掃除機用集塵袋内の塵埃が許容量に達するまで長期に渡って脱臭効果を維持させることができる。
【発明を実施するための最良の形態】
【００１１】
第１の発明は、吸引風を発する電動送風機と、前記電動送風機前方に設けられ、吸引した塵埃を集める集塵袋を搭載した集塵室と、前記集塵袋の一部に設けられ、脱臭剤を収納した収納ケースと、前記集塵袋に振動を与える振動板とを備え、前記振動板が集塵袋に振動を与えることにより、前記収納ケース内の脱臭剤が集塵袋内に投入される構成の電気掃除機とした。
【００１２】
これにより、掃除機の運転による吸引風により脱臭剤が収納ケースより集塵袋内に投入され、集塵袋内の塵埃から放たれる悪臭を脱臭するだけでなく、振動板が集塵袋に振動を与えて塵埃を集塵袋の壁面から叩き落して吸引力が持続するうえ、その振動によって塵埃と脱臭剤がより効果的に混合されて脱臭効率が向上するものである。
【００１３】
第２の発明は、第１の発明の振動板が、集塵袋の後部に振動を与えるものであり、主な通気路となる集塵袋後部壁面に貼りついた塵埃を効果的に除塵することができ吸引力が持続し、振動板からの振動によって脱臭剤と塵埃が混合されるので脱臭効率がよい。
【００１４】
第３の発明は、第１または第２の発明に加えて、電源を供給するための電源コードを電気掃除機内へ収納自在とするコードリールを備え、前記コードリールの電源コード引出し操作および／または電源コード収納操作に連動して、振動板が集塵袋に振動を与える構成の電気掃除機とした。
【００１５】
これにより、使用者は電気掃除機を運転する際、必ず電源コードの操作を行うため、忘れずに除塵ができるとともに、振動による塵埃と脱臭剤との混合も必ず行うことができて、効果的に脱臭することができる。
【００１６】
また、通常使用者が電気掃除機の使用直前に電源コードを引き出す際に、引出し操作により振動が加えられ、集塵袋内の除塵ができ、掃除のはじめから強い吸引力が得られるうえ、前回集塵した悪臭をためこんだ古い塵埃が振動によってほぐされた後に脱臭剤が投入されるため古いゴミと脱臭剤が混ざりやすくなり、効果的に脱臭できる。
【００１７】
また、運転中に投入された脱臭剤を掃除終了後のコード巻き込み時に振動によって混合できるため、次回使用時までの期間に時間をかけて脱臭することができ、より脱臭効率が向上する。
【００１８】
第４の発明は、第１〜第３のいずれか１つの発明の振動板の動力を、電動の振動装置としたものであり、振動板近傍に動力源を設置することが可能なため、振動力の伝達ロスが少なく、一定の振幅および周波数で振動するため除塵力も毎回一定とすることができ、部品同士の摩擦がないため、磨耗などの心配がない。また、制御によって振動させるタイミングを自在にもできるうえ、振動を与える時間も調節可能なため、脱臭剤と塵埃の混合度合いもコントロールしやすく、脱臭効率が向上する。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における電気掃除機本体１の斜視図である。掃除機本体１へは後部に吸引風を発する電動送風機２を、またその前方には塵埃を捕集する集塵室３を設けている。集塵室３の内部には捕集した塵埃を一時的に溜めるための集塵袋４がセットできるようになっており、その後方には振動板５を配設している。図２は集塵袋４の分解図であるが、袋状体１０の開口部Ａ１１前方へは同じく開口部Ｂ１２を有する口芯１３を接着しており、口芯１３と袋状体１０との間には脱臭剤１４を収納し、脱臭剤１４の通路である排出口１５と開口部Ｃ１６を有する収納ケース１７を設けている。おのおの３つの開口部はすべて連通するように配置している。さらに図３は電気掃除機本体１の部分断面図である。集塵袋４後方には振動板５を備えており、さらに集塵室３後方にはコード２０を巻き取るコードリール２１を備え、コードリールへは凸部２２を設けている。図４は除塵機構の主要部品図を示している。コードリール２１が回転する時凸部２２の頂点が描く軌跡上に略Ｌ字状のレバー２３の一部が当接するように位置し、図３に示すように本体下６内に軸２９を中心に回動自在に設置されており、カバー２８によって覆われており、集塵室３側に通じている。レバー２３の下方にはバネ２４を配設してレバーを付勢し、逆の集塵室３側には振動板５が取り付けられるようになっている。コードリール２１はぜんまいバネ（図示せず）で付勢しており、ブレーキボタン２５の下方にはブレーキ２６およびストッパー２７を配置している。
【００２１】
以上のように構成された電気掃除機について、以下、その動作、作用を説明する。
【００２２】
図１〜図３に示すように電動送風機２の気流により集塵室３に吸引されたゴミは集塵袋４に溜められるが、塵埃が溜まるにつれて吸引力が低下したり悪臭が蓄積されたりしていく。本実施の形態の掃除機においては使用者が掃除をする前にコード２０を引きだすことによりコード２０を巻きつけていたコードリール２１が回転、凸部２２がレバー２３の一部に当接することで押し下げられ凸部２２より開放されるとバネ２４の付勢力により上方へ戻される。この反発力がレバー２３に取り付けられた振動板５に伝わって振動力となり、コード２０が連続的に引き出されることで振動板５は前後に振動する。前回の掃除により蓄積されていた塵埃は集塵袋４の壁面に付着して吸引力低下の要因となるが、集塵袋４後方の振動板５の振動によって塵埃は叩き落され、吸引力が回復する。その後使用者が掃除機の運転を始めると、電動送風機２の気流に乗って集塵袋４の収納ケース１７より脱臭剤１４が排出口１５を通ってさらに排出され、掃除機の運転中持続的に脱臭剤１４が投入されることにより集塵室３内の脱臭を行うことができる。さらにコード２０引出し時に塵埃が振動によりほぐされる事で脱臭剤１４が古い塵埃に効率よく接触することができ、脱臭効率が一段と向上し、悪臭の除かれた快適な排気となる。
【００２３】
このとき塵埃はミクロ的に観察すると、個々の塵埃の外周が粉状の脱臭剤１４で囲まれたような形となるため、塵埃と脱臭剤１４との接触面積は極めて大きなものとなり、かつ、集塵袋４内で、塵埃が脱臭剤１４で囲まれたような形で保持されるようになる。その結果、脱臭剤１４の脱臭効果は遺憾なく発揮され、臭気は大幅に低減する。例えば臭気の強い犬・猫の毛を集めたものを吸引させて掃除機本体１からの排気風の臭いを嗅いで見たが、その臭いはほとんど感じない程度に低減されていた。
【００２４】
また、脱臭剤１４は、集塵袋４が廃棄されるまで塵埃と共に残っているので、脱臭効果が大きくしかも長時間持続できるので、常に快適に掃除を行うことができる。
【００２５】
さらに、脱臭剤１４はその平均粉径を、集塵袋４の空気が通過する細孔（集塵袋４を形成する紙材や布材の繊維間の隙間）より大きく設定しておくことにより、塵埃と共に吸引された脱臭剤１４の大部分が、集塵袋４の細孔を通り抜けることなく集塵袋４内に残り、脱臭剤１４による脱臭効果を長期間に渡って維持できる。
【００２６】
また、脱臭剤１４を形成するゼオライトに疎水性加工を施せば、粒状又は粉状のゼオライトが、集塵袋４の保管時或いは、使用時に周囲の湿気を吸引して団子状になったりすることが無いので、脱臭剤１４の、収納ケース１７の排出口１５からの排出性が悪くなり脱臭性能が低下することが無い。
【００２７】
また、収納ケース１７を、口芯１３の下流側に設けたことにより、収納ケース１７を備えていない従来の集塵袋を使用する電気掃除機にも使用できるようになり、互換性に優れ、集塵袋４の製造や在庫管理が簡素化される。
【００２８】
また、口芯１３と、収納ケース１７と、集塵袋４のそれぞれを可燃材料で形成することにより、集塵袋４を廃棄する際、材料分別する必要が無く、一般の燃えるごみとして廃棄できるので、後始末が簡単でしかも衛生的である。
【００２９】
さらに、粒状又は粉状の脱臭剤１４に帯電防止加工を施せば、集塵袋４の運搬時或いは、集塵袋４を装着した掃除機本体１の移動や使用時に、収納ケース１７内の粒状又は粉状の脱臭剤が振動で互いに擦りあっても静電気を帯びないので、互いにくっつきあって、排出口１５から出にくくなることが無く、常に優れた脱臭効果を発揮することが出来る。
【００３０】
掃除が終了し、コード２０を巻き取る際にはブレーキボタン２５を押し下げブレーキ２６を解除してバネの付勢力によってコード２０がコードリール２１に巻き取られるが、その際、ブレーキボタン２５を押し下げるによってストッパー２７が同時に押し下げられレバー２３も下方に押し下げられると凸部２２はレバー２３と当接しなくなり振動板５は静止したままとなる。
【００３１】
本実施の形態では、振動板５はコード引出し時にのみ振動することとなり、掃除前に集塵袋４内の除塵ができて掃除のはじめから強い吸引力が得られるうえ、前回の掃除の際に集めた悪臭をためこんだ古い塵埃が振動によってほぐされた後に脱臭剤が投入されるため、古いゴミと脱臭剤が混ざりやすくなり、効果的に脱臭できる。
【００３２】
一方、ストッパー２７を設けず、凸部２２をコードリール２１とは別体としてこの２部品でクラッチ機構を構成して引出し時は凸部が空回りして回転せず、巻き込み時のみコードリール２１とかみ合って凸部２２がコードリール２１とともに回転するようにすれば（図示せず）、運転中に投入された脱臭剤を掃除終了後のコード巻き込み時の振動によってその日ためた塵埃に混合することができるため、次回使用時までの期間に時間をかけて脱臭することができ、より脱臭効率が向上する。一方図３において、ストッパー２７を省けばコード引出し時、巻きとり時共に振動板５が動作することとなり、使用直前のコード引出しにより除塵ができて掃除のはじめから強い吸引力が得られるだけでなく、古い塵埃がほぐされることで脱臭剤との混合をより効率よく行うことができて掃除中も排気が臭くならずに快適に掃除できる上、掃除が終了してコード収納する時にも振動が加えられるため、その日ためた塵埃にも脱臭剤を効果的に混合することができ、次回使用時までの期間に時間をかけて脱臭可能なため、更に脱臭効率が向上する。
【００３３】
（実施の形態２）
図５は第２の実施の形態を示す電気掃除機の部分断面図である。本実施の形態では振動板５の動力を電動の振動装置３０としており、伝動装置は振動板５近傍の本体下６下内部に格納され、カバー２８により覆われている。振動装置３０は図６に示すような構成となっている。
【００３４】
図５、６に示すように振動装置３０は本体下集塵室３下部に格納され、本体ケース３１からは、可動板３２より立設した中空円柱状のアーム３３が集塵室３内へ突出しており、このアーム３３に振動板５が挿入される。アーム３３はリング状のゴム製ブッシング３４を介して本体ケースに固定されている。本体ケース３１内には電磁石Ａ３５と電磁石Ｂ３６の吸引作用面と対向して平行に配置された磁石３７を先端部に固着した可動板が内蔵されており、可動板３２の磁石３７と反対側の一端はゴム製のスリーブ３８を介してネジ３９により、可動板３２が回動自在になるように本体ケース３１に固定されている。振動制御回路によりスイッチがＯＮされ電磁石Ａ３５にＡＣ１００Ｖ電源が通電されると、電磁石Ｂ３６に生じた磁界により、先端部に磁石３７を固着した可動板３２は、ネジ３９で固定した一端を支点として、アーム３３がゴム製ブッシング３４を前後にたわませながらＡＣ１００Ｖ電源の電源周波数（５０Ｈｚまたは６０Ｈｚ）に応じた周期で前後に振動する。その振動はアーム３３を介して振動板５に伝えられ振動板５も同様に前後方向（矢印方向）へ振動し、集塵袋４の外面を振動させ除塵を行うものである。
【００３５】
以上のように構成された電気掃除機について、以下、その動作、作用を説明する。
【００３６】
例えば制御により電源ＯＦＦ後に振動装置３０を一定時間作動させれば、掃除の終了後に除塵を行うことができ、次回の掃除の際に吸引力が回復して使用性が向上する。また、振動板５近傍に振動装置３０を設置することが可能なため、振動力の伝達ロスが少ないうえ、一定の振幅および周波数で振動するため除塵力も毎回一定とすることができる。また、アーム３３等の部品は他部品との摩擦がないため、磨耗などの心配がない。さらに制御によって振動させるタイミングを自在にもできるうえ、振動を与える時間も調節可能なため、脱臭剤と塵埃の混合度合いもコントロールしやすく、脱臭効率が向上する。
【産業上の利用可能性】
【００３７】
以上のように、本発明にかかる電気掃除機は、塵埃由来の悪臭が排気に含まれるのを大幅に低減し、かつ塵埃と脱臭剤の混合によって電気掃除機用集塵袋内の塵埃が許容量に達するまで長期に渡って脱臭効果を維持させることができる。
【図面の簡単な説明】
【００３８】
【図１】本発明の実施の形態１における電気掃除機の斜視図
【図２】本発明の実施の形態１における集塵袋の分解斜視図
【図３】本発明の実施の形態１における電気掃除機の断面図
【図４】本発明の実施の形態１における除塵機構を説明する図
【図５】本発明の実施の形態２における電気掃除機の断面図
【図６】本発明の実施の形態２における振動装置の分解斜視図
【符号の説明】
【００３９】
１    本体
２    電動送風機
３    集塵室
４    集塵袋
５    振動板
６    本体下
１０  袋状体
１１  開口部Ａ
１２  開口部Ｂ
１３  口芯
１４  脱臭剤
１５  排出口
１６  開口部Ｃ
１７  収納ケース
２０  コード
２１  コードリール
２２  凸部
２３  レバー
２４  バネ
２５  ブレーキボタン
２６  ブレーキ
２７  ストッパー
２８  カバー
３０  振動装置
３１  本体ケース
３２  可動板
３３  アーム
３４  ブッシング
３５  電磁石Ａ
３６  電磁石Ｂ
３７  磁石
３８  スリーブ
３９  ネジ
【図１】
2006314351.tif 000003
【図２】
2006314351.tif 000004
【図３】
2006314351.tif 000005
【図４】
2006314351.tif 000006
【図５】
2006314351.tif 000007
【図６】
2006314351.tif 000008